(57)【要約】【課題】陽極端子部の数を低減することが可能な有機ＥＬパネルを提供する。【解決手段】有機ＥＬパネル１１は、少なくとも第一の電極１４と発光層１６ａと第二の電極１７とを有する積層体１３を基板１２に形成したものである。第一の電極１４は、第一の表示セグメント部１４ａと、第一の表示セグメント部１４ａに連なる第一のリード部１４ｂと、第二の表示セグメント部１４ｄと、第二の表示セグメント部１４ｄに連なる第二のリード部１４ｅと、第三の表示セグメント部１４ｇとを有する。第二の電極は１７、少なくとも第一の表示セグメント部１４ａと第二の表示セグメント部１４ｄと第三の表示セグメント部１４ｇに対向する個所に形成された陰極部１７ａと、第二の表示セグメント部１４ｄと第三の表示セグメント部１４ｇを電気的に接続させる接続部１７ｂとを有する。【選択図】　図１
2004134088.tif 000002
【特許請求の範囲】
【請求項１】
少なくとも第一の電極と発光層と第二の電極とを有する積層体を基板に形成した有機ＥＬパネルであって、
前記第一の電極は、第一の表示セグメント部と、前記第一の表示セグメント部に連なる第一のリード部と、第二の表示セグメント部と、前記第二の表示セグメント部に連なる第二のリード部と、第三の表示セグメント部と、前記第三の表示セグメント部に連なる第三のリード部と、を有し、
前記第一のリード部を跨ぐように前記第二のリード部と前記第三のリード部とを電気的に接続させる接続部を設けたことを特徴とする有機ＥＬパネル。
【請求項２】
少なくとも第一の電極と発光層と第二の電極とを有する積層体を基板に形成した有機ＥＬパネルであって、
前記第一の電極は、第一の表示セグメント部と、前記第一の表示セグメント部に連なる第一のリード部と、第二の表示セグメント部と、前記第二の表示セグメント部に連なる第二のリード部と、第三の表示セグメント部と、前記第三の表示セグメント部に連なる第三のリード部と、を有し、
前記第二の電極は、少なくとも前記第一の表示セグメント部と前記第二の表示セグメント部と前記第三の表示セグメント部とに対向する個所に形成された陰極部と、前記第二のリード部と前記第三のリードを電気的に接続させる接続部と、を有することを特徴とする有機ＥＬパネル。
【請求項３】
前記接続部と前記第一のリード部が短絡することを防ぐ絶縁膜を設けたことを特徴とする請求項１または請求項２に記載の有機ＥＬパネル。
【請求項４】
前記絶縁膜は、前記接続部と、前記第二の表示セグメント部及び前記第三の表示セグメントを導通させるためのコンタクトホールを有することを特徴とする請求項３に記載の有機ＥＬパネル。
【発明の詳細な説明】
【０００１】
【発明の属する技術分野】
本発明は、第一の電極と第二の電極の間に発光層を挟持した積層体を基板上に形成した有機ＥＬパネルに関するものである。
【０００２】
【従来の技術】
従来より、有機ＥＬパネルが種々提案されており、例えば特許文献１に開示されている。有機ＥＬパネル１は、ガラス基板２上に積層体３を形成したものである。積層体３は、ＩＴＯ（Ｉｎｄｉｕｍ　Ｔｉｎ　Ｏｘｉｄｅ）からなる第一の電極４，ポリイミド系のレジスト材料からなる絶縁膜５，有機層６，アルミニウム（Ａｌ）からなる第二の電極７を有している（図５参照）。有機層６は、蒸着等の方法によって正孔注入層，正孔輸送層，発光層，電子輸送層及び電子注入層を順次形成したものである。
【０００３】
【特許文献１】
特開２００１−１２５５０９号公報
【０００４】
積層体３は封止ガラス８に覆われており、この封止ガラス８はガラス基板２に紫外線硬化性の接着剤９で接着されている。第一の電極４は、表示セグメント部４ａと、この表示セグメント部４ａに連なる陽極リード部４ｂと、この陽極リード部４ｂに連なる陽極端子部４ｃと、陰極端子部４ｋとを有している。有機層６は表示セグメント部４ａと第二の電極７に挟持されており、陰極端子部４ｋは第二の電極７と電気的に接続されている。有機ＥＬパネル１は、陽極端子部４ｃと陰極端子部４ｋに電源を接続することにより発光セグメントＳが光輝する。
【０００５】
図６及び図７は、他の従来例を示すものであるが、理解を助けるため、上述した有機ＥＬパネル１の構成と同一若しくは相当する個所には同一の符号を付して説明する。
有機ＥＬパネル１は、日字形に配設された７個の発光セグメントＳ１と、この発光セグメントＳ１の両脇に配設された括弧形の発光セグメントＳ２，Ｓ３を有している。つまり、有機ＥＬパネル１は、９個の発光セグメントＳ１，Ｓ２，Ｓ３を有している。
【０００６】
第一の電極４は、発光セグメントＳ１に対応する７個の表示セグメント部４ａと、この表示セグメント部４ａに連なる陽極リード部４ｂと、この陽極リード部４ｂに連なる陽極端子部４ｃと、発光セグメントＳ２に対応する表示セグメント部４ｄと、この表示セグメント部４ｄに連なる陽極リード部４ｅと、この陽極リード部４ｅに連なる陽極端子部４ｆと、発光セグメントＳ３に対応する表示セグメント部４ｇと、この表示セグメント部４ｇに連なる陽極リード部４ｈと、この陽極リード部４ｈに連なる陽極端子部４ｉと、陰極端子部４ｋとを有している。
【０００７】
７個の陽極端子部４ｃの内、４個はガラス基板２の上側に、３個は下側に配置されている。また、陽極端子部４ｆはガラス基板２の上側に、陽極端子部４ｉは下側に配置されている。陰極端子部４ｋは下側に配置されている。
有機ＥＬパネル１は、各発光セグメントＳ１を夫々オン／オフすることによって数字を表示する。また、発光セグメントＳ２，Ｓ３を同時にオンさせることによって括弧を表示する。
【０００８】
【発明が解決しようとする課題】
発光セグメントＳ２と発光セグメントＳ３は、括弧を表示するものであるので、一方がオンで他方がオフになることがない。即ち、発光セグメントＳ２がオンであれば発光セグメントＳ３もオンであるし、発光セグメントＳ２がオフであれば発光セグメントＳ３もオフである。従って、有機ＥＬパネル１の発光セグメントＳ１，Ｓ２，Ｓ３は、見掛け上は９個であるが、電気回路的には８個である。
【０００９】
ところが、１個の陽極端子部４ｆから２個の表示セグメント部４ｄ，４ｇに連なるように陽極リード部４ｅをレイアウトすることは、陽極リード部４ｅが陽極リード部４ｂと交差することになるため、不可能である。従って、表示セグメント部４ｄ，４ｇには、夫々、陽極リード部４ｅ，４ｈと陽極端子部４ｆ，４ｉとが必要であり、陽極端子部４ｃ，４ｆ，４ｉの数は９個となっている。つまり、実質的に８個の表示セグメントＳ１，Ｓ２，Ｓ３を有する有機ＥＬパネル１を、９個の陽極端子４ｃ，４ｆ，４ｉで駆動している。
【００１０】
しかし、陽極端子部４ｃ，４ｆ，４ｉに電気的に接続される可撓性配線部材や、有機ＥＬパネル１を駆動する制御回路が煩雑になることを防ぐため、２個の発光セグメントＳ２，Ｓ３を１個の陽極端子部４ｆで駆動することが好ましい。即ち、実質的に８個の表示セグメントＳ１，Ｓ２，Ｓ３を有する有機ＥＬパネル１を、８個の陽極端子４ｃ，４ｆで駆動できる構成が望まれている。
【００１１】
本発明は、この課題に鑑みなされたものであり、陽極端子部の数を低減することが可能な有機ＥＬパネルを提供するものである。
【００１２】
【課題を解決するための手段】
本発明は、前記課題を解決するため、請求項１に記載したように、少なくとも第一の電極１４と発光層１６ａと第二の電極１７とを有する積層体１３を基板１２に形成した有機ＥＬパネル１１であって、前記第一の電極１４は、第一の表示セグメント部１４ａと、前記第一の表示セグメント部１４ａに連なる第一のリード部１４ｂと、第二の表示セグメント部１４ｄと、前記第二の表示セグメント部１４ｄに連なる第二のリード部１４ｅと、第三の表示セグメント部１４ｇと、前記第三の表示セグメント部１４ｈと、を有し、前記第一のリード部１４ｂを跨ぐように前記第二のリード部１４ｅと前記第三のリード部１４ｈを電気的に接続させる接続部１７ｂを設けたものである。
【００１３】
また、本発明は、請求項２に記載したように、少なくとも第一の電極１４と発光層１６ａと第二の電極１７とを有する積層体１３を基板１２に形成した有機ＥＬパネル１１であって、前記第一の電極１４は、第一の表示セグメント部１４ａと、前記第一の表示セグメント部１４ａに連なる第一のリード部１４ｂと、第二の表示セグメント部１４ｄと、前記第二の表示セグメント部１４ｄに連なる第二のリード部１４ｅと、第三の表示セグメント部１４ｇと、前記第三の表示セグメント部１４ｇに連なる第三のリード部１４ｈと、を有し、前記第二の電極１７は、少なくとも前記第一の表示セグメント部１４ａと前記第二の表示セグメント部１４ｄと前記第三の表示セグメント部１４ｇに対向する個所に形成された陰極部１７ａと、前記第二のリード部１４ｅと前記第三のリード１４ｈを電気的に接続させる接続部１７ｂとを有するものである。
【００１４】
また、本発明は、請求項３に記載したように、前記接続部１７ｂと前記第一のリード部１４ｂが短絡することを防ぐ絶縁膜１５を設けたものである。
【００１５】
また、本発明は、請求項４に記載したように、前記絶縁膜１５は、前記接続部１７ｂと、前記第二の表示セグメント部１４ｄ及び前記第三の表示セグメント１４ｇを導通させるためのコンタクトホール１５ｄ，１５ｅを有するものである。
【００１６】
【発明の実施の形態】
以下、添付の図面に基いて、本発明の一実施形態を説明する。
【００１７】
有機ＥＬパネル１１は、ガラス基板１２上に積層体１３を形成したものであり、日字形に配設された７個の発光セグメントＳ１と、この発光セグメントＳ１の両脇に配設された括弧形の発光セグメントＳ２，Ｓ３を有している。
積層体１３は、ＩＴＯ（Ｉｎｄｉｕｍ　Ｔｉｎ　Ｏｘｉｄｅ）からなる第一の電極１４，ポリイミド系のレジストからなる絶縁膜１５，有機層１６，アルミニウム等の金属からなる第二の電極１７からなるものであり、ガラス基板１２の後面にスパッタリング若しくは蒸着法により順次積層形成されている。
【００１８】
第一の電極１４は、発光セグメントＳ１に対応する７個の表示セグメント部１４ａ（第一の表示セグメント部）と、この表示セグメント部１４ａに連なる陽極リード部１４ｂ（第一のリード部）と、この陽極リード部１４ｂに連なる陽極端子部１４ｃと、発光セグメントＳ２に対応する表示セグメント部１４ｄ（第二の表示セグメント部）と、この表示セグメント部１４ｄに連なる陽極リード部１４ｅ（第二のリード部）と、この陽極リード部１４ｅに連なる陽極端子部１４ｆと、発光セグメントＳ３に対応する表示セグメント部１４ｇ（第三の表示セグメント部）と、この表示セグメント部１４ｇに連なる陽極リード部１４ｈ（第三のリード部）と、陰極端子部１４ｋと、を有している（図１参照）。
【００１９】
有機層１６は少なくとも発光層１６ａを有するものであるが、有機層１６に正孔注入１６ｂ，正孔輸送層１６ｃ及び電子輸送層１６ｄを設けても良い（図４参照）。絶縁膜１５は、第一の電極１４と後述する陰極部が短絡することを防ぐものである。絶縁膜１５には、第一の電極１４の表示セグメント部１４ａ，１４ｄ，１４ｇに各々対応する穴部１５ａ，１５ｂ，１５ｃが形成されている（図２参照）。１９は紫外線硬化型の接着剤であり、この接着剤１９によりガラス基板１２と封止ガラス１８が接着される。
【００２０】
第二の電極１７は、陰極部１７ａと接続部１７ｂとを有しており、絶縁膜１５の上に形成されている。接続部１７ｂは、陰極部１７ａとは所定間隔を有して形成されており、陰極部１７ａと導通していない。第二の電極１７は、蒸着マスクを用いることによって、陰極部１７ａ及び接続部１７ｂのパターンを形成しても良いが、陰極部１７ａと接続部１７ｂが短絡しないように、陰極部１７ａと接続部１７ｂの間にリブを設けても良い。
【００２１】
陰極部１７ａは、少なくとも第一の表示セグメント部１４ａと第二の表示セグメント部１４ｄと第三の表示セグメント部１４ｇに対向する範囲に設けられていれば良いが、第二の電極１７（即ち、陰極部１７ａ及び接続部１７ｂ）は外光を反射するため、陰極部１７ａを可及的に広い範囲に設けることが望ましく、有機ＥＬパネル１１の外観が一様になる。第一の電極１４の陰極端子部１４ｋは、第二の電極１７の陰極部１７ａに電気的に接続されている。
【００２２】
接続部１７ｂは、陽極リード部１４ｂを跨ぐように形成されており、絶縁膜１５に設けられたコンタクトホール１５ｄ，１５ｅで、陽極リード部１４ｅと陽極リード部１４ｈを電気的に接続している（図３参照）。従って、表示セグメント部１４ｇは、陽極リード部１４ｈ，接続部１７ｂ及び陽極リード部１４ｅを介して陽極端子部１４ｆと電気的に導通しており、２個の表示セグメント部１４ｄ及び表示セグメント部１４ｇを１個の陽極端子部１４ｆで駆動することができる。
【００２３】
本実施形態によれば、陽極端子部１４ｆによって２個の発光セグメントＳ２，Ｓ３を駆動させることができるので、見掛け上９個の表示セグメントＳ１，Ｓ２，Ｓ３を８個の陽極端子１４ｃ，１４ｆで駆動することができる。
【００２４】
なお、本発明は、上述した実施形態に限定されるものではなく、要旨の範囲内で種々の変更が可能である。例えば、実施形態の接続部１７ｂは、陰極部１７ａと同じ材料（ＩＴＯ）からなるものであったが、例えばクロム（Ｃｒ）であっても良い。また、有機ＥＬパネル１１は、セグメント表示型の表示素子であったが、本発明は、マトリクス型表示部とセグメント型表示部を有する有機ＥＬパネルに適用することも可能である。
【００２５】
【発明の効果】
本発明は、少なくとも第一の電極と発光層と第二の電極とを有する積層体を基板に形成した有機ＥＬパネルであって、前記第一の電極は、第一の表示セグメント部と、前記第一の表示セグメント部に連なる第一のリード部と、第二の表示セグメント部と、前記第二の表示セグメント部に連なる第二のリード部と、第三の表示セグメント部と、前記第三の表示セグメント部に連なる第三のリード部と、を有し、前記第一のリード部を跨ぐように前記第二のリード部と前記第三のリード部とを電気的に接続させる接続部を設けたものであり、第三のリード部及び接続部を介して、第三の表示セグメント部を第二のリード部に導通させることができ、陽極端子部の数を低減することが可能である。
【００２６】
また、本発明は、少なくとも第一の電極と発光層と第二の電極とを有する積層体を基板に形成した有機ＥＬパネルであって、前記第一の電極は、第一の表示セグメント部と、前記第一の表示セグメント部に連なる第一のリード部と、第二の表示セグメント部と、前記第二の表示セグメント部に連なる第二のリード部と、第三の表示セグメント部と、前記第三の表示セグメント部に連なる第三のリード部と、を有し、前記第二の電極は、少なくとも前記第一の表示セグメント部と前記第二の表示セグメント部と前記第三の表示セグメント部とに対向する個所に形成された陰極部と、前記第二のリード部と前記第三のリードを電気的に接続させる接続部と、を有するものであり、第三のリード部及び接続部を介して、第三の表示セグメント部を第二のリード部に導通させることができ、陽極端子部の数を低減することが可能である。
【図面の簡単な説明】
【図１】本発明の実施形態を示す正面図。
【図２】同上実施形態を示す断面図。
【図３】同上実施形態を示す要部断面図。
【図４】同上実施形態を示す有機層の拡大断面図。
【図５】従来例を示す断面図。
【図６】他の従来例を示す正面図。
【図７】同上従来例を示す断面図。
【符号の説明】
１１　　有機ＥＬパネル
１２　　ガラス基板（基板）
１３　　積層体
１４ａ　表示セグメント部（第一の表示セグメント部）
１４ｂ　陽極リード部（第一のリード部）
１４ｄ　表示セグメント部（第二の表示セグメント部）
１４ｅ　陽極リード部（第二のリード部）
１４ｇ　表示セグメント部（第三のセグメント部）
１４ｈ　陽極リード部（第三のリード部）
１５　　絶縁膜
１５ｄ　コンタクトホール
１５ｅ　コンタクトホール
１７　　第二の電極
１７ａ　陰極部
１７ｂ　接続部
【図１】
2004134088.tif 000003
【図２】
2004134088.tif 000004
【図３】
2004134088.tif 000005
【図４】
2004134088.tif 000006
【図５】
2004134088.tif 000007
【図６】
2004134088.tif 000008
【図７】
2004134088.tif 000009